(57)【要約】【課題】高解像度で記録可能な撮像装置を使用して低解像度で映像信号を記録する際の使用勝手を向上できるようにする。【解決手段】撮像手段で生成された映像信号を記録する記録媒体が取り出された場合に、予め設定された特定の条件の場合は、前記映像信号を前記記録媒体にＨＤ記録するのを禁止するようにすることにより、高解像度で記録可能な撮像装置を使用して低解像度で映像信号を記録している途中において記録媒体を交換した際に、ユーザの使用状態や使用状況に好適なカメラモードを設定することができるようにする。【選択図】図１
2008160184.tif 000002
【特許請求の範囲】
【請求項１】
撮像手段で生成された映像信号を記録媒体に記録する記録モードとして、高精細映像信号を記録するＨＤ記録モードと標準解像度の映像信号を記録するＳＤ記録モードとを有する撮像装置であって、
前記記録媒体が取り出された場合に、前記記録モードをＨＤ記録モードに設定するＨＤモード設定手段と、
前記ＨＤモード設定手段により、前記記録モードがＨＤ記録モードに設定されるのを禁止するＨＤモード設定禁止手段とを有し、
前記ＨＤモード設定禁止手段は、予め設定された特定の条件の場合は、前記ＨＤモード設定手段により前記記録モードがＨＤ記録モードに設定されるのを禁止することを特徴とする撮像装置。
【請求項２】
前記予め設定された特定の条件は、前記記録媒体が取り出された際に残容量があらかじめ設定された残容量よりも少ない場合であることを特徴とする請求項１に記載の撮像装置。
【請求項３】
前記予め設定された特定の条件は、前記記録媒体が取り出されてから次の記録媒体が装着されるまでの時間があらかじめ設定された時間よりも短い場合であることを特徴とする請求項１に記載の撮像装置。
【請求項４】
撮像手段で撮影された映像から解像度の異なる複数の映像信号を生成する映像信号生成手段と、
前記映像信号生成手段により生成された映像信号を記録するための記録媒体と、
前記記録媒体に前記映像信号を記録するための記録手段と、
前記記録媒体の装着状態を検出するための装着状態検出手段と、
前記装着状態検出手段により前記記録媒体が取り外されたことを検出した場合に、前記記録媒体が取り外された時点の残容量を検出する残容量検出手段と、
前記残容量検出手段により検出された残容量を記憶媒体に記憶する残容量記憶手段と、
前記残容量記憶手段により前記記憶媒体に記憶された残容量が、予め設定されたしきい値よりも大きいか否かを判断する残容量判断手段とを有し、
前記残容量判断手段の判断の結果、前記取り外された記録媒体の残容量が予め設定されたしきい値よりも大きい場合は、前記映像信号生成手段は前記複数の解像度のうち最大の解像度で映像信号を生成するように設定するとともに、前記記録媒体の残容量が前記予め定められたしきい値よりも小さい場合は、前記映像信号生成手段が前記最大の解像度以外の解像度の映像信号を生成するように設定することを特徴とする撮像装置。
【請求項５】
撮像手段で撮影された映像から解像度の異なる複数の映像信号を生成する映像信号生成手段と、
前記映像信号生成手段により生成された映像信号を記録するための記録媒体と、
前記記録媒体に前記映像信号を記録するための記録手段と、
前記記録媒体の装着状態を検出するための装着状態検出手段と、
前記装着状態検出手段により前記記録媒体が取り外されたことを検出した場合に、前記記録媒体が取り外された時点から、記録媒体が再度装着するまでの時間を計測するための装着間隔計測手段と、
前記装着間隔計測手段により計測された装着間隔があらかじめ設定された装着間隔よりも長いか否かを判断する残容量判断手段とを有し、
前記残容量判断手段の判断の結果、前記装着間隔が予め設定された装着間隔よりも長い場合は、前記映像信号生成手段は前記複数の解像度のうち最大の解像度で映像信号を生成するように設定するとともに、前記装着間隔が前記予め定められた装着間隔よりも短い場合は、前記映像信号生成手段が前記最大の解像度以外の解像度の映像信号を生成するように設定することを特徴とする撮像装置。
【請求項６】
撮像工程で生成された映像信号を記録媒体に記録する記録モードとして、高精細映像信号を記録するＨＤ記録モードと標準解像度の映像信号を記録するＳＤ記録モードとを有する撮像装置の制御方法であって、
前記記録媒体が取り出された場合に、前記記録モードをＨＤ記録モードに設定するＨＤモード設定工程と、
前記ＨＤモード設定工程において、前記記録モードがＨＤ記録モードに設定されるのを禁止するＨＤモード設定禁止工程とを有し、
前記ＨＤモード設定禁止工程は、予め設定された特定の条件の場合は、前記ＨＤモード設定工程において前記記録モードがＨＤ記録モードに設定されるのを禁止することを特徴とする撮像装置の制御方法。
【請求項７】
前記予め設定された特定の条件は、前記記録媒体が取り出された際に残容量があらかじめ設定された残容量よりも少ない場合であることを特徴とする請求項６に記載の撮像装置の制御方法。
【請求項８】
前記予め設定された特定の条件は、前記記録媒体が取り出されてから次の記録媒体が装着されるまでの時間があらかじめ設定された時間よりも短い場合であることを特徴とする請求項６に記載の撮像装置の制御方法。
【請求項９】
撮像工程で撮影された映像から解像度の異なる複数の映像信号を生成する映像信号生成工程と、
前記映像信号生成工程において生成された映像信号を記録するための記録媒体と、
前記記録媒体に前記映像信号を記録するための記録工程と、
前記記録媒体の装着状態を検出するための装着状態検出工程と、
前記装着状態検出工程において前記記録媒体が取り外されたことを検出した場合に、前記記録媒体が取り外された時点の残容量を検出する残容量検出工程と、
前記残容量検出工程において検出された残容量を記憶媒体に記憶する残容量記憶工程と、
前記残容量記憶工程において前記記憶媒体に記憶された残容量が、予め設定されたしきい値よりも大きいか否かを判断する残容量判断工程とを有し、
前記残容量判断工程の判断の結果、前記取り外された記録媒体の残容量が予め設定されたしきい値よりも大きい場合は、前記映像信号生成工程は前記複数の解像度のうち最大の解像度で映像信号を生成するように設定するとともに、前記記録媒体の残容量が前記予め定められたしきい値よりも小さい場合は、前記映像信号生成工程は前記最大の解像度以外の解像度の映像信号を生成するように設定することを特徴とする撮像装置の制御方法。
【請求項１０】
撮像工程で撮影された映像から解像度の異なる複数の映像信号を生成する映像信号生成工程と、
前記映像信号生成工程において生成された映像信号を記録するための記録媒体と、
前記記録媒体に前記映像信号を記録するための記録工程と、
前記記録媒体の装着状態を検出するための装着状態検出工程と、
前記装着状態検出工程において前記記録媒体が取り外されたことを検出した場合に、前記記録媒体が取り外された時点から、記録媒体が再度装着するまでの時間を計測するための装着間隔計測工程と、
前記装着間隔計測工程において計測された装着間隔があらかじめ設定された装着間隔よりも長いか否かを判断する残容量判断工程とを有し、
前記残容量判断工程の判断の結果、前記装着間隔が予め設定された装着間隔よりも長い場合は、前記映像信号生成工程は前記複数の解像度のうち最大の解像度で映像信号を生成するように設定するとともに、前記装着間隔が前記予め定められた装着間隔よりも短い場合は、前記映像信号生成工程は前記最大の解像度以外の解像度の映像信号を生成するように設定することを特徴とする撮像装置の制御方法。
【請求項１１】
撮像工程で生成された映像信号を記録媒体に記録する記録モードとして、高精細映像信号を記録するＨＤ記録モードと標準解像度の映像信号を記録するＳＤ記録モードとを有する撮像装置の各制御工程をコンピュータに実行させるプログラムであって、
前記記録媒体が取り出された場合に、前記記録モードをＨＤ記録モードに設定するＨＤモード設定工程と、
前記ＨＤモード設定工程において、前記記録モードがＨＤ記録モードに設定されるのを禁止するＨＤモード設定禁止工程とを有し、
前記ＨＤモード設定禁止工程は、予め設定された特定の条件の場合は、前記ＨＤモード設定工程において前記記録モードがＨＤ記録モードに設定されるのを禁止する工程をコンピュータに実行させることを特徴とするプログラム。
【請求項１２】
撮像工程で撮影された映像から解像度の異なる複数の映像信号を生成する映像信号生成工程と、
前記映像信号生成工程において生成された映像信号を記録するための記録媒体と、
前記記録媒体に前記映像信号を記録するための記録工程と、
前記記録媒体の装着状態を検出するための装着状態検出工程と、
前記装着状態検出工程において前記記録媒体が取り外されたことを検出した場合に、前記記録媒体が取り外された時点の残容量を検出する残容量検出工程と、
前記残容量検出工程において検出された残容量を記憶媒体に記憶する残容量記憶工程と、
前記残容量記憶工程において前記記憶媒体に記憶された残容量が、予め設定されたしきい値よりも大きいか否かを判断する残容量判断工程とを有し、
前記残容量判断工程の判断の結果、前記取り外された記録媒体の残容量が予め設定されたしきい値よりも大きい場合は、前記映像信号生成工程は前記複数の解像度のうち最大の解像度で映像信号を生成するように設定するとともに、前記記録媒体の残容量が前記予め定められたしきい値よりも小さい場合は、前記映像信号生成工程は前記最大の解像度以外の解像度の映像信号を生成するように設定する工程をコンピュータに実行させることを特徴とするプログラム。
【請求項１３】
撮像工程で撮影された映像から解像度の異なる複数の映像信号を生成する映像信号生成工程と、
前記映像信号生成工程において生成された映像信号を記録するための記録媒体と、
前記記録媒体に前記映像信号を記録するための記録工程と、
前記記録媒体の装着状態を検出するための装着状態検出工程と、
前記装着状態検出工程において前記記録媒体が取り外されたことを検出した場合に、前記記録媒体が取り外された時点から、記録媒体が再度装着するまでの時間を計測するための装着間隔計測工程と、
前記装着間隔計測工程において計測された装着間隔があらかじめ設定された装着間隔よりも長いか否かを判断する残容量判断工程とを有し、
前記残容量判断工程の判断の結果、前記装着間隔が予め設定された装着間隔よりも長い場合は、前記映像信号生成工程は前記複数の解像度のうち最大の解像度で映像信号を生成するように設定するとともに、前記装着間隔が前記予め定められた装着間隔よりも短い場合は、前記映像信号生成工程は前記最大の解像度以外の解像度の映像信号を生成するように設定する工程をコンピュータに実行させることを特徴とするプログラム。
【請求項１４】
請求項１１〜１３の何れか１項に記載のプログラムを記憶したことを特徴とするコンピュータ読み取り可能な記録媒体。
【発明の詳細な説明】
【技術分野】
【０００１】
本発明は撮像装置及び撮像装置の制御方法に関し、特に、光学ディスクをはじめとするフォーマットを必要とする記録媒体に対して、映像及び音声を記録するために用いて好適な技術に関する。
【背景技術】
【０００２】
従来、映像と音声を記録するカムコーダの記録媒体として、光学ディスク（ディスク）を利用したビデオカムコーダ（以下、ディスクカムコーダ）が知られている。こうしたディスクカムコーダでは、物理フォーマットの違いを検出し、その種類に応じて異なる記録方式で記録するためのディスクフォーマット処理を行う技術がある（例えば、特許文献１を参照）。
【０００３】
ディスクカムコーダのディスクとしては、ＤＶＤ−Ｒ、ＤＶＤ−ＲＷなど様々な種類がある。例えば、ＤＶＤ−Ｒではディスクフォーマットとしてビデオフォーマット（以下、Ｖｉｄｅｏフォーマット）、ＤＶＤ−ＲＷであれば、Ｖｉｄｅｏフォーマットもしくはビデオレコーディングフォーマット（以下、ＶＲフォーマット）を選択可能である。
【０００４】
また、ディスクへ記録する際には、記録データをファイルとして扱うため、ファイルシステムが必要であり、フォーマットの際はファイルフォーマット処理も必要となる。光学ディスクは、ＵＤＦ（Universal Disk Format）形式のファイルシステムを採用しており、ＤＶＤ−Ｒ、ＤＶＤ−ＲＷはＵＤＦ２．０に対応している。
【０００５】
このように、ディスクカムコーダでは、映像や音声をメディアへ記録する前に、ディスクフォーマット処理とファイルフォーマット処理をあらかじめ行って、ディスクへのデータ書き込みを可能にしておく必要がある。
また、近年、アナログテレビ放送に代わる、デジタル放送が開始された。
デジタル放送では、従来の標準解像度（ＳＤ）の画像だけでなく、高精細（ＨＤ）画像の番組が放送される。そのため、この様なＨＤ画像を表示可能な高精細ＴＶ受信機が登場し、一般家庭に迅速に普及し始めている。
【特許文献１】特開２００３−７８８７４号公報
【発明の開示】
【発明が解決しようとする課題】
【０００６】
前述のように、ＨＤ画像を表示可能なＴＶが普及した結果、テレビ放送だけでなく、ビデオカメラでＨＤ画像が撮影できることが望まれている。
ＨＤ画像を前述の如きディスクメディアに記録する場合、ディスクカムコーダでは携帯性の良さや本体のさらなる小型化を考慮すると、従来の８ｃｍサイズのディスクより大きなサイズのディスクの利用は難しい。
【０００７】
そのため、例えばＭＰＥＧ４−ＡＶＣ（Ｈ．２６４）規格のように、圧縮効率の高いコーデックを使い、ＨＤ画像を記録する為のＡＶＣＨＤ規格が提案された。これにより、データ量の増大を抑えること、及び従来サイズの記憶容量の小さいディスクにＨＤ映像を記録できるようにすることの両方を可能にしている。
【０００８】
しかしながら、前述したＡＶＣＨＤ規格によるディスクフォーマット及びファイルフォーマットは、従来のＤＶＤと互換性がなかった。このため、一枚のディスクにＨＤ画像とＳＤ画像を混在させて記録することができない。
また、現在では、ＤＶＤビデオプレーヤが広く普及しており、ビデオカメラでは、ＨＤ画像だけでなく、ＳＤ画像も撮影できることが望ましい。
したがって、ブランクディスクを装着した場合、フォーマット実行時にＨＤ画像もしくはＳＤ画像のいずれの画像を記録するかをユーザが選択する必要がある。
【０００９】
その際に、ユーザが選択した記録方式が現時点の記録方式と異なる場合は、選択された記録方式へ切り替えるための切替処理が発生する。前記のように切替処理が発生すると、その処理が終了するまでは記録を開始することができないので、速やかな記録を行う際の妨げになってしまう問題点があった。
【００１０】
本発明は以上のことを鑑みてなされたものであって、カムコーダが撮像した映像信号をＳＤ記録とＨＤ記録のように、解像度の異なったいずれかの規格で記録する場合に、不用意な切替操作が行われるのを防止できるようにすることを目的としている。
【課題を解決するための手段】
【００１１】
本発明の撮像装置は、撮像手段で生成された映像信号を記録媒体に記録する記録モードとして、高精細映像信号を記録するＨＤ記録モードと標準解像度の映像信号を記録するＳＤ記録モードとを有する撮像装置であって、前記記録媒体が取り出された場合に、前記記録モードをＨＤ記録モードに設定するＨＤモード設定手段と、前記ＨＤモード設定手段により、前記記録モードがＨＤ記録モードに設定されるのを禁止するＨＤモード設定禁止手段とを有し、前記ＨＤモード設定禁止手段は、予め設定された特定の条件の場合は、前記ＨＤモード設定手段により前記記録モードがＨＤ記録モードに設定されるのを禁止することを特徴とする。
また、本発明の撮像装置の他の特徴とするところは、撮像手段で撮影された映像から解像度の異なる複数の映像信号を生成する映像信号生成手段と、前記映像信号生成手段により生成された映像信号を記録するための記録媒体と、前記記録媒体に前記映像信号を記録するための記録手段と、前記記録媒体の装着状態を検出するための装着状態検出手段と、前記装着状態検出手段により前記記録媒体が取り外されたことを検出した場合に、前記記録媒体が取り外された時点の残容量を検出する残容量検出手段と、前記残容量検出手段により検出された残容量を記憶媒体に記憶する残容量記憶手段と、前記残容量記憶手段により前記記憶媒体に記憶された残容量が、予め設定されたしきい値よりも大きいか否かを判断する残容量判断手段とを有し、前記残容量判断手段の判断の結果、前記取り外された記録媒体の残容量が予め設定されたしきい値よりも大きい場合は、前記映像信号生成手段は前記複数の解像度のうち最大の解像度で映像信号を生成するように設定するとともに、前記記録媒体の残容量が前記予め定められたしきい値よりも小さい場合は、前記映像信号生成手段が前記最大の解像度以外の解像度の映像信号を生成するように設定することを特徴とする。
また、本発明の撮像装置のその他の特徴とするところは、撮像手段で撮影された映像から解像度の異なる複数の映像信号を生成する映像信号生成手段と、前記映像信号生成手段により生成された映像信号を記録するための記録媒体と、前記記録媒体に前記映像信号を記録するための記録手段と、前記記録媒体の装着状態を検出するための装着状態検出手段と、前記装着状態検出手段により前記記録媒体が取り外されたことを検出した場合に、前記記録媒体が取り外された時点から、記録媒体が再度装着するまでの時間を計測するための装着間隔計測手段と、前記装着間隔計測手段により計測された装着間隔があらかじめ設定された装着間隔よりも長いか否かを判断する残容量判断手段とを有し、前記残容量判断手段の判断の結果、前記装着間隔が予め設定された装着間隔よりも長い場合は、前記映像信号生成手段は前記複数の解像度のうち最大の解像度で映像信号を生成するように設定するとともに、前記装着間隔が前記予め定められた装着間隔よりも短い場合は、前記映像信号生成手段が前記最大の解像度以外の解像度の映像信号を生成するように設定することを特徴とする。
【００１２】
本発明の撮像装置の制御方法は、撮像工程で生成された映像信号を記録媒体に記録する記録モードとして、高精細映像信号を記録するＨＤ記録モードと標準解像度の映像信号を記録するＳＤ記録モードとを有する撮像装置の制御方法であって、前記記録媒体が取り出された場合に、前記記録モードをＨＤ記録モードに設定するＨＤモード設定工程と、前記ＨＤモード設定工程において、前記記録モードがＨＤ記録モードに設定されるのを禁止するＨＤモード設定禁止工程とを有し、前記ＨＤモード設定禁止工程は、予め設定された特定の条件の場合は、前記ＨＤモード設定工程において前記記録モードがＨＤ記録モードに設定されるのを禁止することを特徴とする。
また、本発明の撮像装置の制御方法の他の特徴とするところは、撮像工程で撮影された映像から解像度の異なる複数の映像信号を生成する映像信号生成工程と、前記映像信号生成工程において生成された映像信号を記録するための記録媒体と、前記記録媒体に前記映像信号を記録するための記録工程と、前記記録媒体の装着状態を検出するための装着状態検出工程と、前記装着状態検出工程において前記記録媒体が取り外されたことを検出した場合に、前記記録媒体が取り外された時点の残容量を検出する残容量検出工程と、前記残容量検出工程において検出された残容量を記憶媒体に記憶する残容量記憶工程と、前記残容量記憶工程において前記記憶媒体に記憶された残容量が、予め設定されたしきい値よりも大きいか否かを判断する残容量判断工程とを有し、前記残容量判断工程の判断の結果、前記取り外された記録媒体の残容量が予め設定されたしきい値よりも大きい場合は、前記映像信号生成工程は前記複数の解像度のうち最大の解像度で映像信号を生成するように設定するとともに、前記記録媒体の残容量が前記予め定められたしきい値よりも小さい場合は、前記映像信号生成工程は前記最大の解像度以外の解像度の映像信号を生成するように設定することを特徴とする。
また、本発明の撮像装置の制御方法のその他の特徴とするところは、撮像工程で撮影された映像から解像度の異なる複数の映像信号を生成する映像信号生成工程と、前記映像信号生成工程において生成された映像信号を記録するための記録媒体と、前記記録媒体に前記映像信号を記録するための記録工程と、前記記録媒体の装着状態を検出するための装着状態検出工程と、前記装着状態検出工程において前記記録媒体が取り外されたことを検出した場合に、前記記録媒体が取り外された時点から、記録媒体が再度装着するまでの時間を計測するための装着間隔計測工程と、前記装着間隔計測工程において計測された装着間隔があらかじめ設定された装着間隔よりも長いか否かを判断する残容量判断工程とを有し、前記残容量判断工程の判断の結果、前記装着間隔が予め設定された装着間隔よりも長い場合は、前記映像信号生成工程は前記複数の解像度のうち最大の解像度で映像信号を生成するように設定するとともに、前記装着間隔が前記予め定められた装着間隔よりも短い場合は、前記映像信号生成工程は前記最大の解像度以外の解像度の映像信号を生成するように設定することを特徴とする。
【００１３】
本発明のプログラムは、撮像工程で生成された映像信号を記録媒体に記録する記録モードとして、高精細映像信号を記録するＨＤ記録モードと標準解像度の映像信号を記録するＳＤ記録モードとを有する撮像装置の各制御工程をコンピュータに実行させるプログラムであって、前記記録媒体が取り出された場合に、前記記録モードをＨＤ記録モードに設定するＨＤモード設定工程と、前記ＨＤモード設定工程において、前記記録モードがＨＤ記録モードに設定されるのを禁止するＨＤモード設定禁止工程とを有し、前記ＨＤモード設定禁止工程は、予め設定された特定の条件の場合は、前記ＨＤモード設定工程において前記記録モードがＨＤ記録モードに設定されるのを禁止する工程をコンピュータに実行させることを特徴とする。
また、本発明のプログラムの他の特徴とするところは、撮像工程で撮影された映像から解像度の異なる複数の映像信号を生成する映像信号生成工程と、前記映像信号生成工程において生成された映像信号を記録するための記録媒体と、前記記録媒体に前記映像信号を記録するための記録工程と、前記記録媒体の装着状態を検出するための装着状態検出工程と、前記装着状態検出工程において前記記録媒体が取り外されたことを検出した場合に、前記記録媒体が取り外された時点の残容量を検出する残容量検出工程と、前記残容量検出工程において検出された残容量を記憶媒体に記憶する残容量記憶工程と、前記残容量記憶工程において前記記憶媒体に記憶された残容量が、予め設定されたしきい値よりも大きいか否かを判断する残容量判断工程とを有し、前記残容量判断工程の判断の結果、前記取り外された記録媒体の残容量が予め設定されたしきい値よりも大きい場合は、前記映像信号生成工程は前記複数の解像度のうち最大の解像度で映像信号を生成するように設定するとともに、前記記録媒体の残容量が前記予め定められたしきい値よりも小さい場合は、前記映像信号生成工程は前記最大の解像度以外の解像度の映像信号を生成するように設定する工程をコンピュータに実行させることを特徴とする。
また、本発明のプログラムのその他の特徴とするところは、撮像工程で撮影された映像から解像度の異なる複数の映像信号を生成する映像信号生成工程と、前記映像信号生成工程において生成された映像信号を記録するための記録媒体と、前記記録媒体に前記映像信号を記録するための記録工程と、前記記録媒体の装着状態を検出するための装着状態検出工程と、前記装着状態検出工程において前記記録媒体が取り外されたことを検出した場合に、前記記録媒体が取り外された時点から、記録媒体が再度装着するまでの時間を計測するための装着間隔計測工程と、前記装着間隔計測工程において計測された装着間隔があらかじめ設定された装着間隔よりも長いか否かを判断する残容量判断工程とを有し、前記残容量判断工程の判断の結果、前記装着間隔が予め設定された装着間隔よりも長い場合は、前記映像信号生成工程は前記複数の解像度のうち最大の解像度で映像信号を生成するように設定するとともに、前記装着間隔が前記予め定められた装着間隔よりも短い場合は、前記映像信号生成工程は前記最大の解像度以外の解像度の映像信号を生成するように設定する工程をコンピュータに実行させることを特徴とする。
【発明の効果】
【００１４】
本発明によれば、撮像手段で生成された映像信号を記録する記録媒体が取り出された場合に、予め設定された特定の条件の場合は、前記映像信号を前記記録媒体にＨＤ記録するのを禁止するようにした。これにより、高解像度で記録可能な撮像装置を使用して低解像度で映像信号を記録する際の使用勝手を向上させることができる。
【発明を実施するための最良の形態】
【００１５】
（第１の実施の形態）
以下、本発明の実施形態について図面を用いて詳細に説明する。
図１は、本発明の撮像装置の一例として、光学ディスクを記録媒体とするディスクカムコーダの構成例を表したブロック図である。１０１はレンズ、１０２は固体撮像素子であるＣＣＤ（Ｃｈａｒｇｅ Ｃｏｕｐｌｅｄ Ｄｅｖｉｃｅ）、１０３は撮像から映像信号生成手段として機能する映像信号処理回路である。
【００１６】
１０４は映像信号を表示装置あるいは出力端子へ出力する映像表示出力回路、１０５は映像出力端子、１０６は映像表示装置であるＬＣＤ（Ｌｉｑｕｉｄ Ｃｒｙｓｔａｌ Ｄｉｓｐｌａｙ）、１０７は映像信号の圧縮方式を切替える切替回路である。１０８は第１の映像信号圧縮回路、１０９は第２の映像信号圧縮回路、１１０は圧縮された映像信号を記録媒体へ記録する記録回路、１１１は本実施形態で使用する記録媒体である光学ディスク、１１２は光学ディスク１１１の残容量を検出するための残容量検出回路である。１１３はディスクカムコーダのシステム制御を行うマイクロコンピュータである。１１４は光学ディスク１１１が取り出されている状態にあるのか、或いは装着されている状態にあるのか、光学ディスク１１１の装着状態を検出するための装着状態検出手段として機能する記録媒体検出回路である。
【００１７】
次に、前述のように構成された本実施形態のディスクカムコーダの具体的な動作を説明する。
レンズ１０１で結像した光はＣＣＤ１０２で光電変換されて撮像信号が生成される。この撮像信号は、映像信号処理回路1０３で映像信号に変換される。また、映像信号処理回路1０３は、マイクロコンピュータ（マイコン）１１３からの指示に従い、カムコーダの状態表示や各種設定を行うためのメニュー画面及び警告画面の表示用にＯＳＤ（Ｏｎ Ｓｃｒｅｅｎ Ｄｉｓｐｌａｙ）の信号生成も行う。
【００１８】
映像信号は、映像表示出力回路１０４と切替回路１０７とへ出力される。そして、映像信号は、映像表示出力回路１０４から出力されて外部出力信号となり、映像出力端子１０５を介して外部に出力される。さらに、映像表示出力回路１０４は、映像信号をＬＣＤ１０６に供給して映像表示を行うための制御も行う。
【００１９】
映像信号処理回路１０３から出力される映像信号は切替回路１０７にも入力される。切替回路１０７は、マイクロコンピュータ１１３からの指示に従い、入力した映像信号を第１の映像信号圧縮回路１０８と第２の映像信号圧縮回路１０９のいずれか一方に出力するように切替える動作を行う。
【００２０】
第１の映像信号圧縮回路１０８と第２の映像信号圧縮回路１０９は、異なる圧縮方式で映像信号を圧縮する。第１の映像信号圧縮回路１０８の圧縮方式はＭＰＥＧ４−ＡＶＣ（Ｈ．２６４）方式であり、高精細（ＨＤ）映像信号の圧縮を行う。また、第２の映像信号圧縮回路１０９の圧縮方式はＭＰＥＧ２方式で、標準解像度（ＳＤ）の映像信号の圧縮を行う。
【００２１】
本実施形態において、映像信号処理回路１０３から出力される映像信号はＨＤ映像信号に対応した信号である。第２の映像信号圧縮回路１０９は、映像信号を圧縮する前にこのＨＤ映像信号の解像度を低下させ、ＳＤ映像信号へ変換（ダウンコンバート）するダウンコンバート回路１０９ａを備えている。また、ダウンコンバート回路１０９ａで変換された映像信号を圧縮する圧縮回路１０９ｂを備えている。
【００２２】
第１の映像信号圧縮回路１０８または第２の映像信号圧縮回路１０９によって圧縮された映像信号は、記録回路１１０によって光学ディスク１１１に記録される。記録回路１１０は、入力された映像信号を所定の記録用データに変換する。記録回路１１０により記録用データに変換されたデータは、ピックアップ部（不図示）を介してレーザー光で光学ディスク１１１に記録される。その際に、光学ディスク１１１を回転するスピンドルモーターとピックアップ部を駆動するトラッキングモーターの駆動制御を行うモータードライバ制御も記録回路１１０が行う。なお、前述のスピンドルモーター、トラッキングモーター、モータードライバは何れも図示していない。
【００２３】
光学ディスク１１１は、記録時には記録層に照射されたレーザー光に応じた情報を記録する。一方、再生時には記録層へ照射されたレーザー光を照射し、その反射光をピックアップ部（図示せず）で検出して情報を取り出す（光学ディスク１１１の構造は不図示）。
【００２４】
記録媒体検出回路１１４は、ピックアップ部により光学ディスク１１１のディスク情報を読み取り、マイクロコンピュータ１１３へ出力する。マイクロコンピュータ１１３は、記録媒体検出回路１１４から入力された情報から光学ディスク１１１がディスクカムコーダから取り外されている状態か、またはディスクカムコーダに装着されている状態かを判断し、その情報をマイクロコンピュータ１１３に出力する。
【００２５】
マイクロコンピュータ（マイコン）１１３は、ディスクカムコーダのシステム制御を行うためのコンピュータであり、制御コードや制御データからなるＲＯＭと各種情報を一時的に記憶するためのＲＡＭを備えている（ＲＯＭ、ＲＡＭの構成は不図示）。そして、メニュー画面操作キー１１２の操作に応じてメニュー画面の表示制御を行い、ＯＳＤデータを生成する。
マイクロコンピュータ１１３によって生成されたＯＳＤデータは、映像信号処理回路１０３へ送られ、メニュー画面が描画される。また、マイコン１１３は、操作キー１１２の操作により、ＳＤ信号の記録モードと、ＨＤ信号の記録モードのいずれかに切り替える指示を切替回路１０７へ出力する。
【００２６】
次に、本実施形態のディスクカムコーダにおいて光学ディスク１１１が取り出された場合の動作の一例について、図２のフローチャートを用いて説明する。
ステップＳ２０１では、動画記録のモードか、またはそれ以外のモード（例えば静止画記録モード、動画再生モード、静止画再生モード）かについて、マイクロコンピュータ１１３が判断する。この判断の結果、動画記録モード以外のモードであれば、そのまま終了する。また、ステップＳ２０１の判断の結果、動画記録の動作モードであればステップＳ２０２に進む。
【００２７】
ステップＳ２０２では、記録媒体検出回路１１４から得られたディスク情報から光学ディスク１１１が取り出されたか否かをマイクロコンピュータ１１３が検出する。この検出の結果、光学ディスク１１１が取り出されていなければそのまま終了し、取り出しを検出した場合にはステップＳ２０３へ進む。
【００２８】
ステップＳ２０３では、現在の記録モードがＨＤまたはＳＤのいずれの記録モードであるかを、マイクロコンピュータ１１３が判断する。この判断の結果、現在の記録モードがＨＤモードであれば、記録モードの切替は行わないためそのまま終了する。一方、現在の記録モードがＳＤモードであればステップＳ２０４へ進む。
【００２９】
ステップＳ２０４では、取り出した光学ディスク１１１の残容量が閾値よりも少ない状態だったかを、マイクロコンピュータ１１３により構成される残容量判断が判断する。この残容量判断の判断の結果、取り出した光学ディスク１１１の残容量が予め設定されたしきい値よりも小さい状態であったならば、現在の記録モードであるＳＤモードの状態を維持したまま、変更することなくそのまま終了とする。一方、取り出した光学ディスク１１１の残容量が残っている状態（予め設定されたしきい値よりも大きい場合）であった場合はステップＳ２０５へ進む。なお、本実施形態においては、残容量検出手段として機能する残容量検出回路１１２により検出された残容量を、マイクロコンピュータ１１３により構成される残容量記憶手段が記憶媒体（図示せず）に記憶するようにしている。
【００３０】
ステップＳ２０５では、記録モードをＳＤモードからＨＤモードへ切替えるための処理を行う。ＨＤ記録モードへの切替処理は、マイクロコンピュータ１１３から切替回路１０７に対して、ＨＤの映像信号の圧縮回路として第１の映像信号圧縮回路１０８を選択する指示を行うことにより行われる。すなわち、マイクロコンピュータ１１３及び切替回路１０７により本実施形態のディスクカムコーダにおけるＨＤモード設定手段が構成されている。また、この例の場合は、予め設定された特定の条件として、取り出した光学ディスク１１１の残容量を決めている。
【００３１】
前述の処理により、光学ディスク１１１の取り出し時にＨＤ記録モードであれば、ＨＤ記録モードを維持する。一方、ＳＤ記録モードであった場合は、光学ディスク１１１を取り出す直前の残容量（取り外された時点の残容量）があった状態である場合は、ＨＤ記録モードに自動的に切替える。しかしながら、この場合も、光学ディスク１１１を取り出す直前の残容量が無い状態か、または予め設定されたしきい値よりも小さい状態であった場合はＳＤ記録モードを維持する。
【００３２】
すなわち、ステップＳ２０４において行われる処理は、ＨＤモード設定禁止手段として機能して、前記ＨＤモード設定手段により前記記録モードがＨＤ記録モードに切替えられるのを禁止する。
【００３３】
次に、図３のフローチャートを用いて、マイクロコンピュータ１１３の第２の動作例について説明する。
なお、図３のフローチャートにおいて、図２のフローチャートを参照しながら説明したステップの処理と実質的に同じ場合には、同じステップ番号を付して詳細な説明を省略する。
【００３４】
図３のフローチャートにおいて、ステップＳ２０１〜ステップＳ２０３における処理は、前述した処理と同様である。
ステップＳ２０３の判断処理の結果、現在の記録モードがＳＤモードであればステップＳ３０１へ進む。
【００３５】
ステップＳ３０１では、光学ディスク１１１が取り外されてから、光学ディスク１１１が再度装着されるまでの時間（装着間隔）を計測するためのタイマー処理をＳＴＡＲＴさせて装着間隔計測を行う。
次に、ステップＳ３０２に進む。ステップＳ３０２では、記録媒体検出回路１１４から得られたディスク情報から、光学ディスク１１１が装着されたか否かをマイクロコンピュータ１１３が検出する。
【００３６】
この検出の結果、光学ディスク１１１が装着されていなければ、ステップＳ３０３に進んでタイマーのカウントアップ処理を行う。また、ステップＳ３０２の判断の結果、光学ディスク１１１が装着されたと判断された場合は、ステップＳ３０４へ進む。
【００３７】
ステップＳ３０４では、予め定められた一定時間（予め定められたしきい値）とタイマーで計測された時間（値）とを比較し、タイマーで計測された時間が予め定められた一定時間（装着間隔）よりも長いか否かを判断する。この判断の結果、予め定められた一定時間よりもタイマーで計測された時間の方が長い場合は、ステップＳ２０５へ進む。ステップＳ２０５では、前述したように記録モードをＳＤからＨＤへ切替える、ＨＤ記録モード切替処理を行う。また、予め定められた一定時間よりタイマーで計測された時間の方が短い場合は、そのままとなりカメラモードの切替は行われないで処理を終了する。
【００３８】
前述のような処理を行うことにより、光学ディスク１１１を取り出した後で、光学ディスク１１１が再度装着されるまでの時間を計測し、計測された時間が予め定められた時間より長い場合は、ＨＤ記録モードに自動的に切替える。しかしながら、計測された時間が予め定められた時間より短い場合は、ＳＤ記録モードを維持する。したがって、この例の場合は、予め設定された特定の条件として、記録媒体が取り出されてから次の記録媒体が装着されるまでの時間を決めている。
【００３９】
これにより、ユーザが光学ディスク１１１を交換してＳＤ記録モードで記録を引き続き行う場合には、光学ディスク１１１を交換する前と同じ記録モードで記録を続行することが可能となる。これにより、高解像度（最大の解像度）で記録可能なディスクカムコーダを使用してＳＤ記録を行う際にＨＤ撮影モードに切替ってしまうという、不要な切替処理が発生する不都合を確実に防止することができる。
【００４０】
なお、本実施形態では、ＨＤ画像信号とＳＤ画像信号の二種類の画像信号を選択的に記録していたが、解像度が異なる三種類以上の映像信号を選択的に記録する場合にも同様に本発明を適用可能である。
【００４１】
（本発明に係る他の実施の形態）
前述した本発明の実施の形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４２】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４３】
なお、本発明は、前述した実施の形態の機能を実現するソフトウェアのプログラム（実施の形態では図２、図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であってもよい。
【００４６】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００４７】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記憶媒体にダウンロードすることによっても供給できる。
【００４８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５０】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５１】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５２】
【図１】本発明の実施形態を示し、ディスクカムコーダの構成例を示すブロック図である。
【図２】本発明の実施形態を示し、ディスクカムコーダの第１の動作例を説明するフローチャートである。
【図３】本発明の実施形態を示し、ディスクカムコーダの第２の動作例を説明するフローチャートである。
【符号の説明】
【００５３】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１０９ａ  ダウンコンバート回路
１０９ｂ  圧縮回路
１１０  記録回路
１１１  光学ディスク
１１２  残容量検出回路
１１３  マイクロコンピュータ
１１４  記録媒体検出回路
【図１】
2008160184.tif 000003
【図２】
2008160184.tif 000004
【図３】
2008160184.tif 000005